(57)【要約】【課題】  ＢＣＭＣＳに非対応の通信設定（Session Configuration）がなされている場合であっても、ＢＣＭＣＳ対応基地局がＢＣＭＣＳによって送信するコンテンツを受信可能とする。【解決手段】  ＢＣＭＣＳによって送信されるコンテンツを受信する無線通信端末であって、接続した無線基地局の通信能力に応じて設定された通信設定を記憶する通信設定記憶部１８２と、通信設定がコンテンツの受信に対応しているか否かを判定し、通信設定がコンテンツの受信に対応していないと判定された場合、現基地局がコンテンツを送信可能であるか否かを判定する通信設定判定部１７３と、通信設定判定部１７３によって現基地局がコンテンツを送信可能であると判定された場合、コンテンツを受信するよう制御するＢＣＭＣＳ受信制御部１７５とを備える。【選択図】  図３
2008113253.tif 000002
【特許請求の範囲】
【請求項１】
無線基地局が複数の配信先に向けて同時に送信する同一のコンテンツを受信する無線通信装置であって、
接続した無線基地局の通信能力に応じて設定された通信設定を記憶する通信設定記憶部と、
前記通信設定が前記コンテンツの受信に対応しているか否かを判定する第１判定部と、
前記第１判定部によって前記通信設定が前記コンテンツの受信に対応していないと判定された場合、接続中の無線基地局が前記コンテンツを送信可能であるか否かを判定する第２判定部と、
前記第２判定部によって前記接続中の無線基地局が前記コンテンツを送信可能であると判定された場合、前記コンテンツを受信するよう制御する受信制御部と
を備える無線通信装置。
【請求項２】
前記接続中の無線基地局が前記コンテンツを送信可能であると判定された場合、前記接続中の無線基地局の通信能力に応じて前記通信設定を再設定する再設定部をさらに備え、
前記受信制御部は、再設定された前記通信設定を用いて、前記コンテンツを受信するよう制御する請求項１に記載の無線通信装置。
【請求項３】
他の無線基地局へのハンドオフを制御するハンドオフ制御部をさらに備え、
前記第１判定部は、着信通知の待ち受け中に前記ハンドオフが発生した場合、前記通信設定が前記コンテンツの受信に対応しているか否かを判定する請求項１又は２に記載の無線通信装置。
【請求項４】
前記コンテンツの受信動作時刻を記憶する時刻記憶部をさらに備え、
前記第１判定部は、前記受信動作時刻において、前記通信設定が前記コンテンツの受信に対応しているか否かを判定する請求項１又は２に記載の無線通信装置。
【請求項５】
前記コンテンツの受信操作をユーザから受け付ける操作受け付け部をさらに備え、
前記第１判定部は、前記操作受け付け部が前記受信操作を受け付けた場合、前記通信設定が前記コンテンツの受信に対応しているか否かを判定する請求項１又は２に記載の無線通信装置。
【請求項６】
無線基地局が複数の配信先に向けて同時に送信する同一のコンテンツを受信する無線通信方法であって、
接続した無線基地局の通信能力に応じて設定された通信設定を記憶するステップと、
前記通信設定が前記コンテンツの受信に対応しているか否かを判定するステップと、
前記通信設定が前記コンテンツの受信に対応していないと判定された場合、接続中の無線基地局が前記コンテンツを送信可能であるか否かを判定するステップと、
前記接続中の無線基地局が前記コンテンツを送信可能であると判定された場合、前記コンテンツを受信するよう制御するステップと
を備える無線通信方法。
【請求項７】
前記接続中の無線基地局が前記コンテンツを送信可能であると判定された場合、前記接続中の無線基地局の通信能力に応じて前記通信設定を再設定するステップをさらに備え、
前記制御するステップでは、再設定された前記通信設定を用いて、前記コンテンツを受信するよう制御する請求項６に記載の無線通信方法。
【請求項８】
他の無線基地局へのハンドオフを制御するステップをさらに備え、
前記通信設定が前記コンテンツの受信に対応しているか否かを判定するステップでは、着信通知の待ち受け中に前記ハンドオフが発生した場合、前記通信設定が前記コンテンツの受信に対応しているか否かを判定する請求項６又は７に記載の無線通信方法。
【請求項９】
前記コンテンツの受信動作時刻を記憶するステップをさらに備え、
前記通信設定が前記コンテンツの受信に対応しているか否かを判定するステップでは、前記受信動作時刻において、前記通信設定が前記コンテンツの受信に対応しているか否かを判定する請求項６又は７に記載の無線通信方法。
【請求項１０】
前記コンテンツの受信操作をユーザから受け付けるステップをさらに備え、
前記通信設定が前記コンテンツの受信に対応しているか否かを判定するステップでは、前記受け付けるステップにおいて前記受信操作を受け付けた場合、前記通信設定が前記コンテンツの受信に対応しているか否かを判定する請求項６又は７に記載の無線通信方法。
【発明の詳細な説明】
【技術分野】
【０００１】
本発明は、無線基地局が複数の配信先に向けて同時に送信する同一のコンテンツを受信する無線通信装置及び無線通信方法に関する。
【背景技術】
【０００２】
従来、ＣＤＭＡ方式を用いた移動体通信システムでは、データ伝送の方式として、一般的に複数の方式が採用、導入されている。例えば、ｃｄｍａ２０００では、１ｘＥＶ−ＤＯ Ｒｅｖ．０（以下、単に「Ｒｅｖ．０」という）、及びＲｅｖ．０よりも新しい方式である１ｘＥＶ−ＤＯ Ｒｅｖ．Ａ（以下、単に「Ｒｅｖ．Ａ」という）が規定されている。
【０００３】
１ｘ ＥＶ−ＤＯでは、無線基地局が複数の配信先に向けて同時に同一コンテンツを送信するサービスであるＢＣＭＣＳ（broadcast/multicast services）が提供される。ＢＣＭＣＳは、動画像などによって構成されるコンテンツを、通信チャネル（例えば、トラフィックチャネル）を用いて同時に複数の無線通信装置（例えば、無線通信端末や、カーナビゲーションシステムに接続される無線通信カードモジュールなど）に向けて送信する通信サービスである。
【０００４】
無線通信装置は、主に電源オン時や通信切断時において、ＱｏＳレベル、データレート、及び各種のプロトコルなど、無線基地局の通信能力に応じた通信能力を設定する通信設定（Session Configuration）を実行する。通信設定（Session Configuration）には、無線基地局がＢＣＭＣＳに対応しているかどうかという項目がある。
【０００５】
ＢＣＭＣＳに対応した移動体通信システムでは、無線基地局でＢＣＭＣＳ設定が変更されたことを、“BroadcastOrder Message”で無線通信端末に通知し、無線通信端末の通信設定（Session Configuration）を変更する手法が提案されている（特許文献１参照）。
【特許文献１】特表２００６−５１２８７８号公報
【発明の開示】
【発明が解決しようとする課題】
【０００６】
しかしながら、実際に稼動している移動体通信システムでは、ＢＣＭＣＳに対応する無線基地局（以下、「ＢＣＭＣＳ対応基地局」という）と、ＢＣＭＣＳに対応しない無線基地局（以下、「ＢＣＭＣＳ非対応基地局」という）とが混在し得る。
【０００７】
このため、特許文献１に記載の手法では、ＢＣＭＣＳに非対応の通信設定（Session Configuration）がなされている場合、BroadcastOrder Messageの応答ができず、通信設定（Session Configuration）を変更することができない。
【０００８】
したがって、ＢＣＭＣＳに非対応の通信設定（Session Configuration）がなされている場合、無線通信装置は、ＢＣＭＣＳ対応基地局にハンドオフしても、ＢＣＭＣＳ対応基地局がＢＣＭＣＳによって送信するコンテンツを受信することができないという問題がある。
【０００９】
上記問題点に鑑み、本発明は、ＢＣＭＣＳに非対応の通信設定（Session Configuration）がなされている場合であっても、ＢＣＭＣＳ対応基地局がＢＣＭＣＳによって送信するコンテンツを受信可能な無線通信装置及び無線通信方法を提供することを目的とする。
【課題を解決するための手段】
【００１０】
上記目的を達成するために、本発明の第１の特徴は、無線基地局が複数の配信先に向けて同時に送信する同一のコンテンツを受信する無線通信装置（無線通信端末１）であって、接続した無線基地局の通信能力に応じて設定された通信設定（Session Configuration）を記憶する通信設定記憶部（通信設定記憶部１８２）と、前記通信設定が前記コンテンツの受信に対応しているか否かを判定する第１判定部（通信設定判定部１７３）と、前記第１判定部によって前記通信設定が前記コンテンツの受信に対応していないと判定された場合、接続中の無線基地局が前記コンテンツを送信可能であるか否かを判定する第２判定部（基地局判定部１７４）と、前記第２判定部によって前記接続中の無線基地局が前記コンテンツを送信可能であると判定された場合、前記コンテンツを受信するよう制御する受信制御部（ＢＣＭＣＳ受信制御部１７５）とを備えることを要旨とする。
【００１１】
このような特徴によれば、受信制御部は、通信設定がコンテンツの受信に対応していないと判定され、かつ、接続中の無線基地局がコンテンツを送信可能であると判定された場合、コンテンツを受信するよう制御する。したがって、ＢＣＭＣＳに非対応の通信設定がなされている場合であっても、ＢＣＭＣＳ対応基地局がＢＣＭＣＳによって送信するコンテンツを受信可能な無線通信装置を提供できる。
【００１２】
本発明の第２の特徴は、本発明の第１の特徴に係り、前記接続中の無線基地局が前記コンテンツを送信可能であると判定された場合、前記接続中の無線基地局の通信能力に応じて前記通信設定を再設定する再設定部（ネゴシエーション実行部１７１）をさらに備え、前記受信制御部は、再設定された前記通信設定を用いて、前記コンテンツを受信するよう制御することを要旨とする。
【００１３】
本発明の第３の特徴は、本発明の第１又は２の特徴に係り、他の無線基地局へのハンドオフを制御するハンドオフ制御部（ハンドオフ制御部１７２）をさらに備え、前記第１判定部は、着信通知の待ち受け中に前記ハンドオフが発生した場合、前記通信設定が前記コンテンツの受信に対応しているか否かを判定することを要旨とする。
【００１４】
本発明の第４の特徴は、本発明の第１又は２の特徴に係り、前記コンテンツの受信動作時刻を記憶する時刻記憶部（受信動作時刻記憶部１８１）をさらに備え、前記第１判定部は、前記受信動作時刻において、前記通信設定が前記コンテンツの受信に対応しているか否かを判定することを要旨とする。
【００１５】
本発明の第５の特徴は、本発明の第１又は２の特徴に係り、前記コンテンツの受信操作をユーザから受け付ける操作受け付け部（操作部１３）をさらに備え、前記第１判定部は、前記操作受け付け部が前記受信操作を受け付けた場合、前記通信設定が前記コンテンツの受信に対応しているか否かを判定することを要旨とする。
【００１６】
本発明の第６の特徴は、無線基地局が複数の配信先に向けて同時に送信する同一のコンテンツを受信する無線通信方法であって、接続した無線基地局の通信能力に応じて設定された通信設定を記憶するステップと、前記通信設定が前記コンテンツの受信に対応しているか否かを判定するステップと、前記通信設定が前記コンテンツの受信に対応していないと判定された場合、接続中の無線基地局が前記コンテンツを送信可能であるか否かを判定するステップと、前記接続中の無線基地局が前記コンテンツを送信可能であると判定された場合、前記コンテンツを受信するよう制御するステップとを備えることを要旨とする。
【００１７】
本発明の第７の特徴は、本発明の第６の特徴に係り、前記接続中の無線基地局が前記コンテンツを送信可能であると判定された場合、前記接続中の無線基地局の通信能力に応じて前記通信設定を再設定するステップをさらに備え、前記制御するステップでは、再設定された前記通信設定を用いて、前記コンテンツを受信するよう制御することを要旨とする。
【００１８】
本発明の第８の特徴は、本発明の第６又は７の特徴に係り、他の無線基地局へのハンドオフを制御するステップをさらに備え、前記通信設定が前記コンテンツの受信に対応しているか否かを判定するステップでは、着信通知の待ち受け中に前記ハンドオフが発生した場合、前記通信設定が前記コンテンツの受信に対応しているか否かを判定することを要旨とする。
【００１９】
本発明の第９の特徴は、本発明の第６又は７の特徴に係り、前記コンテンツの受信動作時刻を記憶するステップをさらに備え、前記通信設定が前記コンテンツの受信に対応しているか否かを判定するステップでは、前記受信動作時刻において、前記通信設定が前記コンテンツの受信に対応しているか否かを判定することを要旨とする。
【００２０】
本発明の第１０の特徴は、本発明の第６又は７の特徴に係り、前記コンテンツの受信操作をユーザから受け付けるステップをさらに備え、前記通信設定が前記コンテンツの受信に対応しているか否かを判定するステップでは、前記受け付けるステップにおいて前記受信操作を受け付けた場合、前記通信設定が前記コンテンツの受信に対応しているか否かを判定することを要旨とする。
【発明の効果】
【００２１】
本発明によれば、ＢＣＭＣＳに非対応の通信設定（Session Configuration）がなされている場合であっても、ＢＣＭＣＳ対応基地局がＢＣＭＣＳによって送信するコンテンツを受信可能な無線通信装置及び無線通信方法を提供できる。
【発明を実施するための最良の形態】
【００２２】
次に、図面を参照して、本発明の実施形態を説明する。以下の実施形態における図面の記載において、同一又は類似の部分には同一又は類似の符号を付している。
【００２３】
（移動体通信システムの全体概略構成）
図１は、本実施形態に係る無線通信装置を含む移動体通信システムの全体概略構成図である。
【００２４】
本移動体通信システムは、符号分割多元接続（ＣＤＭＡ）を用いた移動体通信システムである。本移動体通信システムは、無線通信端末１、無線基地局２，３、通信ネットワーク４、コンテンツサーバ５、及びＢＣＭＣＳコントローラ６を有する。
【００２５】
無線通信端末１（無線通信装置）は、携帯電話端末であり、音声通話や電子メールの送受信機能を備える。無線通信端末１は、無線基地局２，３と無線通信を実行する。
【００２６】
また、無線通信端末１は、動画像などによって構成されるコンテンツを受信する機能を備える。具体的には、無線通信端末１は、ＢＣＭＣＳの仕様にしたがい、ブロードキャストやマルチキャストを用いて複数の送信先に向けて同時に配信される同一のコンテンツを受信することができる。
【００２７】
無線基地局２，３、ＢＣＭＣＳコントローラ６及びコンテンツサーバ５は、通信ネットワーク４によって接続される。
【００２８】
無線基地局２は、Ｒｅｖ．０に対応した無線基地局である。無線基地局３は、Ｒｅｖ．Ａ（及びＲｅｖ．０）に対応した無線基地局である。なお、Ｒｅｖ．０は、パケット交換方式を用い、最大で上り方向：１５３．６ｋｂｐｓ、下り方向：約２．４Ｍｂｐｓのデータレートを実現する。Ｒｅｖ．Ａは、Ｒｅｖ．０を高速化し、最大で上り方向：約１．８Ｍｂｐｓ、下り方向：約３．０Ｍｂｐｓのデータレートを実現する。なお、Ｒｅｖ．Ａは、Ｒｅｖ．０とは異なり、ＱｏＳ保証機能を備えている。
【００２９】
ＢＣＭＣＳコントローラ６は、コンテンツサーバ５に格納されているコンテンツの無線通信端末１への配信を制御する。具体的には、ＢＣＭＣＳコントローラ６は、コンテンツごとの配信時刻や、ＢＣＭＣＳによる当該コンテンツの配信経路の制御などを実行する。
【００３０】
（無線通信端末の構成）
次に、本実施形態に係る無線通信端末１の構成について説明する。
【００３１】
（１）無線通信端末の概略構成：
図２は、無線通信端末１の機能ブロック構成図である。なお、以下、本発明との関連がある部分について主に説明する。したがって、無線通信端末１は、当該装置としての機能を実現する上で必須な、図示しない或いは説明を省略した論理ブロック（電源部など）を備える場合があることに留意されたい。
【００３２】
図２に示すように、無線通信端末１は、アンテナ１１、無線通信部１２、操作部１３、マイク１４、スピーカ１５、表示部１６、制御部１７、及び記憶部１８を備える。
【００３３】
無線通信部１２は、接続中の無線基地局（以下、「現基地局」という）との間において、ＣＤＭＡに従った無線信号を、アンテナ１１を介して送受信する。また、無線通信部１２は、当該無線信号とベースバンド信号との変換を実行し、ベースバンド信号を制御部１７との間において送受信する。
【００３４】
操作部１３は、テンキーやファンクションキーなどによって構成され、ユーザの操作内容を入力するために用いられるインタフェースである。
【００３５】
マイク１４は、音声を集音し、集音された音声に基づいて音声信号を制御部１７に入力する。
【００３６】
スピーカ１５は、制御部１７から取得した音声信号に基づいて音声を出力する。
【００３７】
表示部１６は、無線通信部１２及び制御部１７を介して受信した画像コンテンツなどを表示したり、操作内容（入力電話番号やアドレスなど）を表示したりする。
【００３８】
制御部１７は、無線通信端末１が具備する各種機能を制御する。制御部１７のさらに詳細な機能ブロックについては後述する。
【００３９】
記憶部１８は、無線通信端末１における制御などに用いられる各種情報を記憶する。記憶部１８のさらに詳細な機能ブロックについては後述する。
【００４０】
（２）制御部及び記憶部の詳細構成：
図３は、制御部１７及び記憶部１８の詳細構成を示す機能ブロック構成図である。
【００４１】
図３に示すように、制御部１７は、ネゴシエーション実行部１７１、ハンドオフ制御部１７２、通信設定判定部１７３、基地局判定部１７４、及びＢＣＭＣＳ受信制御部１７５を備える。記憶部１８は、受信動作時刻記憶部１８１及び通信設定記憶部１８２を備える。
【００４２】
ネゴシエーション実行部１７１は、無線基地局（例えば無線基地局２）とネゴシエーションを行い、無線基地局２の通信能力（ＱｏＳレベル、データレート、及び各種のプロトコルなど）に応じた通信設定（Session Configuration）を設定し、無線基地局２とのセッションを確立する。ネゴシエーション実行部１７１によって設定された通信設定（Session Configuration）は、通信設定記憶部１８２に記憶される。
【００４３】
ハンドオフ制御部１７２は、無線基地局２，３からのパイロット信号強度に応じて、接続先の無線基地局を切り替える。
【００４４】
受信動作時刻記憶部１８１は、ＢＣＭＣＳによって送信されるコンテンツの受信動作を実行する受信動作時刻を記憶する。
【００４５】
通信設定判定部１７３は、受信動作時刻記憶部１８１に記憶されている受信動作時刻において、通信設定記憶部１８２に記憶されている通信設定（Session Configuration）がＢＣＭＣＳに対応しているか否かを判定する。
【００４６】
或いは、通信設定判定部１７３は、操作部１３がユーザから受け付けたＢＣＭＣＳ受信操作によって、通信設定記憶部１８２に記憶されている通信設定（Session Configuration）がＢＣＭＣＳに対応しているか否かを判定する。
【００４７】
また、後述するように、通信設定判定部１７３は、着信通知の待ち受け中に他の無線基地局へのハンドオフが発生した場合に、通信設定記憶部１８２に記憶されている通信設定（Session Configuration）がＢＣＭＣＳに対応しているか否かを判定してもよい。
【００４８】
通信設定（Session Configuration）がＢＣＭＣＳによって送信されるコンテンツの受信に対応していないと判定された場合、基地局判定部１７４は、現基地局がＢＣＭＣＳに対応しているか否かを判定する。
【００４９】
現基地局がＢＣＭＣＳに対応していると判定された場合、ＢＣＭＣＳ受信制御部１７５は、現基地局からコンテンツを受信するよう無線通信部１２などを制御する。
【００５０】
（ＢＣＭＣＳ対応基地局の判定基準）
現基地局がＢＣＭＣＳに対応しているか否かの判定基準としては、現基地局からの報知情報に含まれるメッセージを使用する。具体的には、QuickConfig Message、SectorParameters Message、BroadcastOverhead Messageの３つのメッセージを使用する。
【００５１】
QuickConfig Message及びSectorParameters Messageについては、ＢＣＭＣＳ対応か否かを示す新たなフィールドを追加することで、現基地局がＢＣＭＣＳに対応しているか否かを判定することができる。
【００５２】
BroadcastOverhead Messageについては、BroadcastOverhead Messageの有無によって、現基地局がＢＣＭＣＳに対応しているか否かを判定することができる。
【００５３】
図４は、QuickConfig Messageの構成を示す図である。図４に示すように、QuickConfig Messageには、１ビット長の“BCMCS_ENABLE（ＢＣＭＣＳ対応）”フィールドが追加されている。
【００５４】
図５は、SectorParameters Messageの構成を示す図である。図５に示すように、SectorParameters Messageには、１ビット長の“BCMCS_ENABLE”フィールドが追加されている。
【００５５】
QuickConfig Message及びSectorParameters Messageにおいて、“BCMCS_ENABLE”フィールドが“０”である場合には、現基地局がＢＣＭＣＳに対応していないことを示し、“BCMCS_ENABLE”フィールドが“１”である場合には、現基地局がＢＣＭＣＳに対応していることを示している。
【００５６】
（無線通信端末の動作）
次に、図６及び図７を参照して、本実施形態に係る無線通信端末１の動作について説明する。
【００５７】
（１）無線通信端末の動作：
図６は、本実施形態に係る無線通信端末１の動作を示すフローチャートである。以下においては、無線通信端末１が、ＢＣＭＣＳ非対応基地局である無線基地局２とネゴシエーションして、ＱｏＳレベル、データレート、及び各種のプロトコルなど、無線基地局２の通信能力に応じた通信設定（Session Configuration）を設定後、ＢＣＭＣＳ対応基地局である無線基地局３にハンドオフした場合の動作について説明する。
【００５８】
ステップＳ１１０において、通信設定判定部１７３は、ＢＣＭＣＳ受信開始指示、すなわち受信動作時刻になったこと、或いはユーザからＢＣＭＣＳ受信操作を受け付けたことを検知する。
【００５９】
ステップＳ１２０において、通信設定判定部１７３は、通信設定記憶部１８２に記憶されている通信設定（Session Configuration）が、ＢＣＭＣＳ対応の通信設定（Session Configuration）であるか否かを判定する。ＢＣＭＣＳ対応の通信設定（Session Configuration）である場合には、ステップＳ１５０の処理に進む。一方、ＢＣＭＣＳ非対応の通信設定（Session Configuration）である場合には、ステップＳ１３０の処理に進む。ここでは、無線基地局２の通信能力に応じた通信設定（Session Configuration）が通信設定記憶部１８２に記憶されているので、ＢＣＭＣＳ非対応の通信設定（Session Configuration）であるとしてステップＳ１３０の処理に進む。
【００６０】
ステップＳ１３０において、基地局判定部１７４は、現基地局がＢＣＭＣＳに対応しているか否かをチェックする。ステップＳ１３０の詳細については後述する。
【００６１】
ステップＳ１４０において、基地局判定部１７４は、ステップＳ１３０のチェック結果に応じて、現基地局がＢＣＭＣＳに対応しているか否かを判定する。現基地局がＢＣＭＣＳに対応している場合には、ステップＳ１５０の処理に進む。現基地局がＢＣＭＣＳに対応していない場合には、動作が終了する。ここでは、現基地局、すなわち無線基地局３は、ＢＣＭＣＳに対応しているので、ステップＳ１５０の処理に進む。
【００６２】
ステップＳ１５０において、ＢＣＭＣＳ受信制御部１７５は、現基地局からコンテンツを受信するよう無線通信部１２などを制御する。
【００６３】
（２）ＢＣＭＣＳ対応基地局チェックの動作：
次に、ＢＣＭＣＳ対応基地局チェック、すなわち上記ステップＳ１３０の詳細について説明する。図７は、ＢＣＭＣＳ対応基地局チェックの処理手順を示すフローチャートである。
【００６４】
ステップＳ１３１において、基地局判定部１７４は、現基地局から受信したQuickConfig Messageに、ＢＣＭＣＳ対応フィールド（“１”）が入っているか否かを判定する。QuickConfig Messageに、ＢＣＭＣＳ対応フィールド（“１”）が入っている場合には、ステップＳ１３２の処理に進む。ステップＳ１３２では、現基地局はＢＣＭＣＳに対応していると判定される。QuickConfig Messageに、ＢＣＭＣＳ対応フィールド（“１”）が入っていない場合には、ステップＳ１３３の処理に進む。
【００６５】
ステップＳ１３３において、基地局判定部１７４は、現基地局から受信したSectorParameters Messageに、ＢＣＭＣＳ対応フィールド（“１”）が入っているか否かを判定する。SectorParameters Messageに、ＢＣＭＣＳ対応フィールド（“１”）が入っている場合には、ステップＳ１３２の処理に進む。SectorParameters Messageに、ＢＣＭＣＳ対応フィールド（“１”）が入っていない場合には、ステップＳ１３４の処理に進む。
【００６６】
ステップＳ１３４において、基地局判定部１７４は、現基地局からBroadcastOverhead Messageを受信したか否かを判定する。現基地局からBroadcastOverhead Messageを受信した場合には、ステップＳ１３２の処理に進む。現基地局からBroadcastOverhead Messageを受信しない場合には、ステップＳ１３５の処理に進む。
【００６７】
ステップＳ１３５において、基地局判定部１７４は、現基地局がＢＣＭＣＳに対応していないと判定する。
【００６８】
（作用・効果）
以上詳細に説明したように、本実施形態によれば、通信設定（Session Configuration）がＢＣＭＣＳに対応していないと判定され、かつ、現基地局がＢＣＭＣＳに対応していると判定された場合、ＢＣＭＣＳ受信制御部は、現基地局からコンテンツを受信するよう制御する。したがって、ＢＣＭＣＳに非対応の通信設定（Session Configuration）がなされている場合であっても、ＢＣＭＣＳに対応する現基地局がＢＣＭＣＳによって送信するコンテンツを受信することができる。
【００６９】
本実施形態によれば、受信動作時刻において、通信設定（Session Configuration）がＢＣＭＣＳに対応しているか否かを判定することで、通信設定（Session Configuration）がＢＣＭＣＳに対応しているか否かの判定を行うタイミングを自動で設定できる。或いは、ユーザからＢＣＭＣＳ受信操作を受け付けた場合に、通信設定（Session Configuration）がコンテンツの受信に対応しているか否かを判定することで、通信設定（Session Configuration）がＢＣＭＣＳに対応しているか否かの判定を行うタイミングを任意に設定できる。
【００７０】
［第１変更例］
図８は、本変更例に係る無線通信端末１の動作を示すフローチャートである。本変更例では、通信設定（Session Configuration）を再設定して、ＢＣＭＣＳによって送信されるコンテンツを受信する方法について説明する。ただし、上述した実施形態と同様の動作、すなわちステップＳ２１０〜Ｓ２４０については、重複する説明を省略する。
【００７１】
ステップＳ２５０において、ネゴシエーション実行部１７１は、通信設定記憶部１８２に記憶されている通信設定（Session Configuration）を削除する。また、ネゴシエーション実行部１７１は、確立されていたセッションを解放する。
【００７２】
ステップＳ２６０において、ネゴシエーション実行部１７１は、現基地局とネゴシエーションし、通信設定（Session Configuration）を再設定する。
【００７３】
ステップＳ２７０において、ＢＣＭＣＳ受信制御部１７５は、ステップＳ２６０で再設定された通信設定（Session Configuration）を用いて、現基地局からコンテンツを受信するよう制御する。
【００７４】
本変更例によれば、ＢＣＭＣＳ受信制御部１７５は、再設定された通信設定（Session Configuration）を用いて、現基地局からコンテンツを受信するよう制御するので、より確実に現基地局からコンテンツを受信することができる。
【００７５】
［第２変更例］
図９は、本変更例に係る無線通信端末１の動作を示すフローチャートである。本変更例では、アイドル・ハンドオフ、つまり着信通知の待ち受け中のハンドオフが発生したタイミングでＢＣＭＣＳ受信判定を実行する方法について説明する。
【００７６】
ステップＳ３１０において、ハンドオフ制御部１７２は、パイロット信号強度に応じて、他の無線基地局へ接続先を切り替える。
【００７７】
ステップＳ３２０〜Ｓ３７０については、上述した第１変更例と同様の動作であるため、重複する説明を省略する。
【００７８】
本変更例によれば、アイドル・ハンドオフが発生したタイミングで、通信設定（Session Configuration）がコンテンツの受信に対応しているか否かを判定することで、通信設定（Session Configuration）がＢＣＭＣＳに対応しているか否かの判定を行うタイミングをより適切に設定できる。
【００７９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８０】
例えば、上述した実施形態では、ＢＣＭＣＳ対応基地局チェックの際、QuickConfig Message、SectorParameters Message、BroadcastOverhead Messageの３つのメッセージを使用していたが、QuickConfig Message、SectorParameters Message、BroadcastOverhead Messageのいずれか１つのみを使用してもよい。この場合、無線通信端末１の処理負荷を軽減することができる。また、ＢＣＭＣＳ対応であることを示すメッセージは、上記３つのメッセージの他の新たなメッセージや、新規のメッセージを用いてもよい。
【００８１】
また、上述した実施形態では、無線通信端末１を例に説明したが、自動車に搭載されるカーナビゲーションシステムに接続される無線通信カードモジュールなど、無線通信端末１と同様の機能を提供する装置であればよい。
【００８２】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００８３】
【図１】本発明の実施形態に係る無線通信装置を含む移動体通信システムの全体概略構成図である。
【図２】本発明の実施形態に係る無線通信端末の機能ブロック構成図である。
【図３】図２の制御部及び記憶部の詳細構成を示す機能ブロック構成図である。
【図４】本発明の実施形態に係る無線通信端末が受信するQuickConfig Messageの構成を示す図である。
【図５】本発明の実施形態に係る無線通信端末が受信するSectorParameters Messageの構成を示す図である。
【図６】本発明の実施形態に係る無線通信端末の動作を示すフローチャートである。
【図７】ＢＣＭＣＳ対応基地局チェックの処理手順を示すフローチャートである。
【図８】本発明の実施形態の第１変更例に係る無線通信端末の動作を示すフローチャートである。
【図９】本発明の実施形態の第１変更例に係る無線通信端末の動作を示すフローチャートである。
【符号の説明】
【００８４】
１…無線通信端末、２，３…無線基地局、４…通信ネットワーク、５…コンテンツサーバ、６…ＢＣＭＣＳコントローラ、１１…アンテナ、１２…無線通信部、１３…操作部、１４…マイク、１５…スピーカ、１６…表示部、１７…制御部、１８…記憶部、１７１…ネゴシエーション実行部、１７２…ハンドオフ制御部、１７３…通信設定判定部、１７４…基地局判定部、１７５…ＢＣＭＣＳ受信制御部、１８１…受信動作時刻記憶部、１８２…通信設定記憶部
【図１】
2008113253.tif 000003
【図２】
2008113253.tif 000004
【図３】
2008113253.tif 000005
【図４】
2008113253.tif 000006
【図５】
2008113253.tif 000007
【図６】
2008113253.tif 000008
【図７】
2008113253.tif 000009
【図８】
2008113253.tif 000010
【図９】
2008113253.tif 000011